(57)【特許請求の範囲】
【請求項１】
無線デバイスによって、チャネル予約ウィンドウが複数のサブフレームを含むように該チャネル予約ウィンドウの長さを設定するステップと、
前記無線デバイスによって、前記チャネル予約ウィンドウを少なくとも、ダウンリンク部分とアップリンク部分とに分割するステップであって、
前記ダウンリンク部分が、前記複数のサブフレームのうちの少なくとも１つ以上のサブフレームを含み、
前記アップリンク部分が、前記複数のサブフレームのうちの少なくとも１つ以上の他のサブフレームを含む、ステップと、
前記無線デバイスによって、前記ダウンリンク部分の開始と前記アップリンク部分の開始との間のタイミング・オフセットを決定するステップであって、
前記タイミング・オフセットが、適用されたタイミング・アドバンスに比例している、ステップと、
前記無線デバイスによって、ダウンリンク・クリア・チャネル・アセスメント・プロセスおよびアップリンク・クリア・チャネル・アセスメント・プロセスのうちの少なくとも１つについて、タイミングを定義するステップであって、
前記ダウンリンク・クリア・チャネル・アセスメント・プロセスが、前記ダウンリンク部分の直前に実行され、
前記アップリンク部分のタイミングは、前記決定されたタイミング・オフセットの手段により前記ダウンリンク部分のタイミングにリンクしており、
前記アップリンク・クリア・チャネル・アセスメント・プロセスが、前記タイミング・オフセットの終了の前に、または、ユーザ・デバイスが前記ダウンリンク部分に関してダウンリンク送信の終了を受信した直後に実行される、
ステップと、を含む方法。
【請求項２】
前記無線デバイスによって、前記複数のサブフレームのうちの少なくとも１つのサブフレームを、少なくとも、前記ダウンリンク部分と前記アップリンク部分との間の切換えのためのガード期間を備えた特別サブフレームとして、割当てるステップをさらに含む、請求項１に記載の方法。
【請求項３】
前記端末デバイスが、前記アップリンク部分の前記開始の前に前記アップリンク・クリア・チャネル・アセスメント・プロセスを行う時間を有し、前記無線デバイスが、次のチャネル予約ウィンドウの前記ダウンリンク部分の前記開始の前に、前記ダウンリンク・クリア・チャネル・アセスメント・プロセスを行う時間を有するように、前記タイミング・アドバンスおよびガード期間を決定するステップと、
前記無線デバイスによって、前記端末デバイスに対して少なくとも前記決定されたタイミング・アドバンスを標示するステップと、
をさらに含む、請求項２に記載の方法。
【請求項４】
前記特別サブフレームは、さらに、前記ガード期間の後に、アップリンク・パイロット・タイム・スロットを含み、
前記方法は、さらに、
前記無線デバイスによって、前記アップリンク・クリア・チャネル・アセスメント・プロセスが、前記アップリンク・パイロット・タイム・スロットの間に続行できるようにするために、少なくとも前記アップリンク・パイロット・タイム・スロットの一部分に対して、アップリンク伝送のスケジューリングを抑制するステップを含む、
請求項２または３のいずれか１項に記載の方法。
【請求項５】
前記ダウンリンク・クリア・チャネル・アセスメント・プロセスが、前記チャネル予約ウィンドウの最後のサブフレームの間に行われ、
前記ダウンリンク・クリア・チャネル・アセスメント・プロセスの前記タイミングが、前記チャネル予約ウィンドウの前記タイミングによって定義される、請求項１ないし４のいずれか１項に記載の方法。
【請求項６】
前記無線デバイスによって、前記チャネル予約ウィンドウの最後のサブフレームの少なくとも一部分に対していかなるアップリンク伝送のスケジューリングをも抑制するステップと、
前記無線デバイスによって、前記最後のサブフレームの未占有部の間に前記ダウンリンク・クリア・チャネル・アセスメント・プロセスを行うステップと、
をさらに含む、請求項１ないし５のいずれか１項に記載の方法。
【請求項７】
前記無線デバイスによって、所与の端末デバイスについてのタイム・アドバンス値を決定するステップと、
前記無線デバイスによって、前記ダウンリンク・クリア・チャネル・アセスメント・プロセスのための時間周期が、前記アップリンク・データの受信後であって、次のチャネル予約ウィンドウの開始前に生成されるように、前記タイム・アドバンス値を増大させるステップと、
前記無線デバイスによって、調整された前記タイム・アドバンス値を前記端末デバイスに対し標示するステップと、
前記無線デバイスによって、前記次のチャネル予約ウィンドウの前に、前記ダウンリンク・クリア・チャネル・アセスメント・プロセスを行うステップと、
をさらに含む、請求項１ないし６のいずれか１項に記載の方法。
【請求項８】
前記チャネル予約ウィンドウの構成が、ダウンリンク使用のみのために予約された少なくとも１つの静的サブフレーム、および、アップリンクおよびダウンリンク使用の間の動的配分のために予約された少なくとも１つの動的サブフレームを含み、
前記構成は、少なくとも前記ダウンリンク部分と前記アップリンク部分への前記複数のサブフレームの前記分割を表す、
請求項１ないし７のいずれか１項に記載の方法。
【請求項９】
アップリンクおよびダウンリンク使用の間の動的配分のために予約される動的サブフレームの数が、少なくとも部分的に前記タイミング・オフセットに依存する、請求項８に記載の方法。
【請求項１０】
前記無線デバイスによって、以前の構成の少なくとも１つの動的サブフレームが、前記アップリンク部分から前記ダウンリンク部分に、または、前記ダウンリンク部分から前記アップリンク部分に再割当てされる新規の構成で、前記チャネル予約ウィンドウの現在の構成を動的にオーバーライドするステップをさらに含む、請求項８または９に記載の方法。
【請求項１１】
前記無線デバイスによって、前記ダウンリンク部分および特別サブフレームのみを含むように前記チャネル予約ウィンドウを一時的に再構成するステップをさらに含む請求項１０に記載の方法。
【請求項１２】
前記無線デバイスによって、通信当事者に前記定義されたチャネル予約ウィンドウの構成の少なくとも一部分を標示するステップをさらに含む、請求項１ないし１１のいずれか１項に記載の方法。
【請求項１３】
前記通信当事者は、いかなるアップリンク・グラントも割当てられていないとき、または、前記チャネル予約ウィンドウが、いかなるアップリンク部分も含まないように再定義されているとき、前記アップリンク・クリア・チャネル・アセスメント・プロセスを行わない、請求項１２に記載の方法。
【請求項１４】
前記無線デバイスが、キャリア・アグリゲーションに参加し、前記定義されたチャネル予約ウィンドウが、アンライセンス・バンド上での二次セル上の伝送のために適用され、前記キャリア・アグリゲーションの一次セルが、ライセンス・バンド上で動作する、請求項１ないし１３のいずれか１項に記載の方法。
【請求項１５】
データ伝送の少なくとも一部分が、前記二次セル上で行われ、前記データ伝送についての確認（ＡＣＫ）フィードバックおよびスケジューリング・グラントのうちの少なくとも１つが、前記一次セルの上で得られる、請求項１４に記載の方法。
【請求項１６】
端末デバイスにより、通信において使用するためのチャネル予約ウィンドウの標示を受信するステップであって、該チャネル予約ウィンドウは、ダウンリンク部分とアップリンク部分とを含み、前記アップリンク部分が少なくとも１つ以上のサブフレームを含み、前記アップリンク部分が少なくとも１つ以上の他のサブフレームを含み、前記ダウンリンク部分の開始と前記アップリンク部分の開始との間のタイミング・オフセットの情報を含み、ここで、前記タイミング・オフセットが、適用されたタイミング・アドバンスに比例している、ステップと、
前記無線デバイスによって、前記アップリンク部分の開始の前に、前記チャネル予約ウィンドウの内部でアップリンク・クリア・チャネル・アセスメント・プロセスを行うステップであって、
前記アップリンク部分のタイミングは、前記タイミング・オフセットの手段により前記ダウンリンク部分のタイミングにリンクしており、
前記アップリンク・クリア・チャネル・アセスメント・プロセスが、前記タイミング・オフセットの終了の前に、または、前記ダウンリンク部分に関してダウンリンク送信の終了の受信の直後に実行される、ステップと、
を含む方法。
【請求項１７】
前記無線デバイスによって、いかなるアップリンク・グラントも割当てられていないとき、または、前記チャネル予約ウィンドウが、いかなるアップリンク部分も含まないように再定義されているとき、前記アップリンク・クリア・チャネル・アセスメント・プロセスを行うことを抑制するステップをさらに含む、請求項１６に記載の方法。
【請求項１８】
前記無線デバイスによって、アンライセンス・バンド上でのアップリンク伝送に特定の所定のタイミング・アドバンス増分を適用するステップと、
前記無線デバイスによって、前記アップリンク・クリア・チャネル・アセスメント・プロセスを行うとき、前記タイミング・アドバンス増分を考慮に入れるステップと、
をさらに含む、請求項１６ないし１７のいずれか１項に記載の方法。
【請求項１９】
少なくとも１つのプロセッサと、コンピュータ・プログラム・コードを含む少なくとも１つのメモリ、を備える装置であって、
前記少なくとも１つのメモリおよび前記コンピュータ・プログラム・コードは、前記少なくとも１つのプロセッサを用いて、前記装置に、
チャネル予約ウィンドウが複数のサブフレームを含むように、該チャネル予約ウィンドウの長さを設定するステップと、
前記チャネル予約ウィンドウを少なくともダウンリンク部分とアップリンク部分とに分割するステップであって、前記ダウンリンク部分が前記複数のサブフレームのうちの少なくとも１つ以上のサブフレームを含み、前記アップリンク部分が前記複数のサブフレームのうちの少なくとも１つ以上の他のサブフレームを含む、ステップと、
前記ダウンリンク部分の開始と前記アップリンク部分の開始の間のタイミング・オフセットを決定するステップであって、前記タイミング・オフセットが、少なくとも部分的に、適用されたタイミング・アドバンスに比例している、ステップと、
前記チャネル予約ウィンドウの内部で、
ダウンリンク・クリア・チャネル・アセスメント・プロセスおよびアップリンク・クリア・チャネル・アセスメント・プロセスのうちの少なくとも１つについて、タイミングを定義するステップであって、
前記ダウンリンク・クリア・チャネル・アセスメント・プロセスが、前記ダウンリンク部分の直前に実行され、
前記アップリンク部分のタイミングは、前記決定されたタイミング・オフセットの手段により前記ダウンリンク部分のタイミングにリンクしており、
前記アップリンク・クリア・チャネル・アセスメント・プロセスが、前記タイミング・オフセットの終了の前に、または、ユーザ・デバイスが前記ダウンリンク部分に関してダウンリンク送信の終了を受信した直後に実行される、
ステップと、
を含む動作をさせるように構成されている、装置。
【請求項２０】
前記少なくとも１つのメモリおよび前記コンピュータ・プログラム・コードは、前記少なくとも１つのプロセッサを用いて、前記装置に、少なくとも、
前記ダウンリンク部分と前記アップリンク部分との間の切換えのためのガード期間を備える特別サブフレームとして前記複数のサブフレームのうちの少なくとも１つのサブフレームを割当てるステップを含む動作をさせるように構成される、
請求項１９に記載の装置。
【請求項２１】
前記少なくとも１つのメモリおよび前記コンピュータ・プログラム・コードは、前記少なくとも１つのプロセッサを用いて、前記装置に、
端末デバイスが、前記アップリンク部分の前記開始の前に、前記アップリンク・クリア・チャネル・アセスメント・プロセスを行う時間を有し、
前記装置が、次のチャネル予約ウィンドウの前記ダウンリンク部分の前記開始の前に前記ダウンリンク・クリア・チャネル・アセスメント・プロセスを行う時間を有する、
ように、前記タイミング・アドバンスおよびガード期間を決定するステップと、
前記端末デバイスに対して少なくとも前記決定されたタイミング・アドバンスを標示するステップと、を含む動作をさせるように構成される、
請求項２０に記載の装置。
【請求項２２】
前記特別サブフレームは、さらに、前記ガード期間の後にアップリンク・パイロット・タイム・スロットを備え、
前記少なくとも１つのメモリおよび前記コンピュータ・プログラム・コードは、前記少なくとも１つのプロセッサを用いて、前記装置に、
前記アップリンク・クリア・チャネル・アセスメント・プロセスが、前記アップリンク・パイロット・タイム・スロット中続行できるようにするために、少なくとも前記アップリンク・パイロット・タイム・スロットの一部分について、アップリンク伝送のスケジューリングを抑制するステップを含む動作をさせるように構成される、
請求項２０または２１に記載の装置。
【請求項２３】
前記ダウンリンク・クリア・チャネル・アセスメント・プロセスが、前記チャネル予約ウィンドウの最後のサブフレーム中に行われ、
前記ダウンリンク・クリア・チャネル・アセスメント・プロセスのタイミングが、前記チャネル予約ウィンドウの前記タイミングによって定義される、請求項１９ないし２２のいずれか１項に記載の装置。
【請求項２４】
前記少なくとも１つのメモリおよび前記コンピュータ・プログラム・コードは、前記少なくとも１つのプロセッサを用いて、前記装置に、
前記チャネル予約ウィンドウの最後のサブフレームの少なくとも一部分に対するいかなるアップリンク伝送のスケジューリングをも抑制するステップと、
前記最後のサブフレームの末占有部分の間、前記ダウンリンク・クリア・チャネル・アセスメント・プロセスを行うステップと、
を含む動作をさせるように構成される、
請求項１９ないし２３のいずれか１項に記載の装置。
【請求項２５】
前記少なくとも１つのメモリおよび前記コンピュータ・プログラム・コードは、前記少なくとも１つのプロセッサを用いて、前記装置に、
所与の端末デバイスについてのタイム・アドバンス値を決定するステップと、
前記ダウンリンク・クリア・チャネル・アセスメント・プロセスのための時間周期が、前記アップリンク・データの受信後で、次のチャネル予約ウィンドウの開始前に生成されるように、前記タイム・アドバンス値を増大させるステップと、
調整された前記タイム・アドバンス値を前記端末デバイスに対し標示するステップと、
前記次のチャネル予約ウィンドウの前に、前記ダウンリンク・クリア・チャネル・アセスメント・プロセスを行うステップと、
を含む動作をさせるように構成される、
請求項１９ないし２４のいずれか１項に記載の装置。
【請求項２６】
前記チャネル予約ウィンドウの構成が、ダウンリンク使用のみのために予約された少なくとも１つの静的サブフレーム、および、アップリンクおよびダウンリンク使用の間の動的配分のために予約された少なくとも１つの動的サブフレームを含み、
前記構成が、少なくとも前記ダウンリンク部分と前記アップリンク部分への前記複数のサブフレームの前記分割を表わしている、
請求項１９ないし２５のいずれか１項に記載の装置。
【請求項２７】
アップリンクおよびダウンリンク使用の間の動的配分のために予約された動的サブフレームの数は、少なくとも部分的に前記タイミング・オフセットに依存する、請求項２６に記載の装置。
【請求項２８】
前記少なくとも１つのメモリおよび前記コンピュータ・プログラム・コードは、前記少なくとも１つのプロセッサを用いて、前記装置に、
以前の構成の少なくとも１つの動的サブフレームが、前記アップリンク部分から前記ダウンリンク部分に、または、前記ダウンリンク部分から前記アップリンク部分に再割当てされる新規の構成で、前記チャネル予約ウィンドウの現行の構成を動的にオーバーライドするステップ
を含む動作をさせるように構成される、
請求項２６ないし２７のいずれか１項に記載の装置。
【請求項２９】
前記少なくとも１つのメモリおよび前記コンピュータ・プログラム・コードは、前記少なくとも１つのプロセッサを用いて、前記装置に、
前記ダウンリンク部分および特別サブフレームのみを含むように、前記チャネル予約ウィンドウを一時的に再構成するステップを含む動作をさせるように構成される、
請求項２８に記載の装置。
【請求項３０】
前記少なくとも１つのメモリおよび前記コンピュータ・プログラム・コードは、前記少なくとも１つのプロセッサを用いて、前記装置に、
前記定義されたチャネル予約ウィンドウの前記構成の少なくとも一部分を通信当事者に標示するステップ
を含む動作をさせるように構成される、
請求項１９ないし２９のいずれか１項に記載の装置。
【請求項３１】
前記通信当事者は、アップリンク・グラントが割当てられないとき、または、前記チャネル予約ウィンドウが、いかなるアップリンク部分も含まないように再定義されるとき、前記アップリンク・クリア・チャネル・アセスメント・プロセスを行わない、請求項３０に記載の装置。
【請求項３２】
前記装置がキャリア・アグリゲーションに参加し、
前記定義されたチャネル予約ウィンドウが、アンライセンス・バンド上での二次セル上の伝送のために適用され、
キャリア・アグリゲーションの一次セルが、ライセンス・バンド上で動作する、
請求項１９ないし３０のいずれか１項に記載の装置。
【請求項３３】
データ伝送の少なくとも一部分が、前記二次セル上で行われ、
前記データ伝送についての確認（ＡＣＫ）フィードバックおよびスケジューリング・グラントのうちの少なくとも１つが、前記一次セルの上で得られる、
請求項３２に記載の装置。
【請求項３４】
少なくとも１つのプロセッサと、コンピュータ・プログラム・コードを含む少なくとも１つのメモリとを備える装置であって、
前記少なくとも１つのメモリおよび前記コンピュータ・プログラム・コードは、前記少なくとも１つのプロセッサを用いて、前記装置に、
通信において使用するためのチャネル予約ウィンドウの標示を受信するステップであって、
前記チャネル予約ウィンドウは、ダウンリンク部分とアップリンク部分とを含み、
前記アップリンク部分が少なくとも１つ以上のサブフレームを含み、
前記アップリンク部分が少なくとも１つ以上の他のサブフレームを含み、
前記ダウンリンク部分の開始と前記アップリンク部分の開始との間のタイミング・オフセットの情報を含み、
前記タイミング・オフセットが、適用されたタイミング・アドバンスに比例している、
ステップと、
前記アップリンク部分の開始の前に、前記チャネル予約ウィンドウの内部でアップリンク・クリア・チャネル・アセスメント・プロセスを行うステップであって、
前記アップリンク部分のタイミングは、前記タイミング・オフセットの手段により前記ダウンリンク部分のタイミングにリンクしており、および
前記アップリンク・クリア・チャネル・アセスメント・プロセスが、前記タイミング・オフセットの終了の前に、または、前記ダウンリンク部分に関してダウンリンク送信の終了の受信の直後に実行される、ステップと、
を含む動作をさせるように構成される、装置。
【請求項３５】
前記少なくとも１つのメモリおよび前記コンピュータ・プログラム・コードは、前記少なくとも１つのプロセッサを用いて、前記装置に、
いかなるアップリンク・グラントも割当てられないとき、または、前記チャネル予約ウィンドウが、いかなるアップリンク部分も含まないように再定義されるとき、前記アップリンク・クリア・チャネル・アセスメント・プロセスを行うことを抑制するステップを含む動作をさせるように構成される、
請求項３４に記載の装置。
【請求項３６】
前記少なくとも１つのメモリおよび前記コンピュータ・プログラム・コードは、前記少なくとも１つのプロセッサを用いて、前記装置に、
アンライセンス・バンド上でのアップリンク伝送に特定の所定のタイミング・アドバンス増分を適用するステップと、
前記アップリンク・クリア・チャネル・アセスメント・プロセスを行うときに、前記タイミング・アドバンス増分を考慮に入れるステップと、を含む動作をさせるように構成される、
請求項３４ないし３５のいずれか１項に記載の装置。
【請求項３７】
装置にロードされたときに、請求項１ないし１８のいずれか１項に記載の方法を実行するプログラム命令を含む、コンピュータ・プログラム。
【請求項３８】
請求項１ないし１８のいずれか１項に記載の方法を実行する手段を備える装置。
【発明の詳細な説明】
【技術分野】
【０００１】
本発明は、概して、通信効率の改善に関する。より具体的には、本発明は、アンライセンス周波数バンド上での効率的な通信を可能にすることに関する。
【背景技術】
【０００２】
無線データ利用は飛躍的に成長しつつあり、通信事業者は、ネットワーク内の容量上の制約に直面している。ライセンス・バンド通信リソースは制限されており（かつ取得コストが極めて高いものであり得）、リソースに対する需要は益々増大していることから、１つの考えられるアプローチは、通信のためにアンライセンス周波数バンドを応用することである。
【発明の概要】
【０００３】
本発明は、独立クレームにより定義されている。
【０００４】
本発明の一態様によると、添付クレーム内に記載の実施形態のいずれかを装置に行わせるように構成された処理手段を備えた装置が提供されている。
【０００５】
本発明のいくつかの実施形態は、従属クレーム中で定義されている。
【０００６】
以下では、本発明が、実施形態および添付図面を参照してより詳細に説明される。
【図面の簡単な説明】
【０００７】
【図１】一実施形態に係るネットワークを提示する。
【図２】一実施形態に係る方法を示す。
【図３Ａ】例示的チャネル予約ウィンドウを示す。
【図３Ｂ】例示的チャネル予約ウィンドウを示す。
【図３Ｃ】例示的チャネル予約ウィンドウを示す。
【図４Ａ】いくつかの実施形態に係る、クリア・チャネル・アセスメント・プロセスのタイミングを例示する。
【図４Ｂ】いくつかの実施形態に係る、クリア・チャネル・アセスメント・プロセスのタイミングを例示する。
【図４Ｃ】いくつかの実施形態に係る、クリア・チャネル・アセスメント・プロセスのタイミングを例示する。
【図５】一実施形態に係る、チャネル予約ウィンドウを再構成するための一実施例を表わす。
【図６】一実施形態に係る、端末デバイスがアップリンク・クリア・チャネル・アセスメント・プロセスを行わない可能性があるシナリオを例示する。
【図７Ａ】いくつかの実施形態に係る、基準とチャネル予約ウィンドウの間のタイミングの問題を示す。
【図７Ｂ】いくつかの実施形態に係る、基準とチャネル予約ウィンドウの間のタイミングの問題を示す。
【図７Ｃ】いくつかの実施形態に係る、基準とチャネル予約ウィンドウの間のタイミングの問題を示す。
【図８】一実施形態に係る、キャリア・アグリゲーションの一実施例を例示する。
【図９】一実施形態に係る、１つの方法を例示する。
【図１０Ａ】いくつかの実施形態に係る、１つの装置を例示する。
【図１０Ｂ】いくつかの実施形態に係る、１つの装置を例示する。
【発明を実施するための形態】
【０００８】
以下の実施形態は、例示的なものである。明細書は、本文のいくつかの箇所で「ａｎ（１つの）」「ｏｎｅ（１つの）」または「ｓｏｍｅ（いくつかの、いくつかの）」実施形態に参照し得るものの、これは必ずしも、各々の参照が同じ実施形態に対してなされていること、あるいは特定の特徴が単一の実施形態にのみ適用されることを意味しない。異なる実施形態の単一の特徴を組合せて他の実施形態を提供することも同様に可能である。
【０００９】
ここに記載する実施形態は、無線システム、例えば基本的な広帯域符号分割多重アクセス（Ｗ−ＣＤＭＡ）、高速パケットアクセス（ＨＳＰＡ）、ロング・ターム・エボリューション（ＬＴＥ）、ＬＴＥ−アドバンスト（ＬＴＥ−Ａ）および／または５Ｇシステムに基づく、ワールドワイド・インターオペラビリティ・フォー・マイクロウェーブ・アクセス（ＷｉＭＡＸ）、グローバル・システム・フォー・モバイル・コミュニケーションズ（ＧＳＭ（登録商標）、２Ｇ）、ＧＳＭ  ＥＤＧＥ無線アクセス・ネットワーク（ＧＥＲＡＮ）、汎用パケット無線サービス（ＧＲＰＳ）、ユニバーサル移動体通信システム（ＵＭＴＳ、３Ｇ）のうちの少なくとも１つにおいて、などで実装することができる。
【００１０】
図１は、実施形態を適用することのできるネットワークを示す。無線通信ネットワーク、例えば第３世代パートナシップ・プロジェクト（３ＧＰＰ）のロング・ターム・エボリューション（ＬＴＥ）またはＬＴＥ−アドバンスト（ＬＴＥ−Ａ）は、典型的に、セル１０２に対してカバレッジを提供する少なくとも１つの基地局１００で構成されている。各々のセル１０２は、例えば、マクロ・セル、マイクロ・セルまたはピコ・セルなどであり得る。基地局１００は、例えば、ＬＴＥまたはＬＴＥ−Ａの場合のような進化型ノードＢ（ｅＮＢ）または無線通信を制御しセル内部の無線リソースを管理することのできる他の任意の装置であり得る。例えば、ＵＭＴＳにおいて、基地局（ノードＢ）は、少なくとも部分的に、無線ネットワークコントローラ（ＲＮＣ）によって制御され得る。ＧＳＭ／ＧＥＲＡＮでは、基本送受信機局は、少なくとも部分的に、基地局コントローラ（ＢＳＣ）によって制御され得る。通信ネットワーク内の多数のｅＮＢの場合、ｅＮＢは、ＬＴＥ内で規定されているように、Ｘ２インターフェースで互いに接続され得る。ｅＮＢ１００はさらに、Ｓ１インターフェースを介して進化型パケットコア（ＥＰＣ）１００に、より具体的には移動性管理エンティティ（ＭＭＥ）、およびシステム・アーキテクチャ・エボリューション・ゲートウェイ（ＳＡＥ−ＧＷ）に接続され得る。
【００１１】
ネットワークは、セル１０２の内部に位置する少なくとも１つの端末デバイス１０４に役立ち得る。端末デバイス１０４、１０６は、基地局１００を介して互いに通信できる。端末デバイス１０４、１０６は、セルラー通信システムの端末デバイス、例えばコンピュータ（ＰＣ）、ラップトップ、パームコンピュータ、携帯電話、スマートホンまたは、セルラー通信ネットワークと通信することのできる他の任意のユーザー端末（ＵＴ）またはユーザー機器（ＵＥ）であり得る。
【００１２】
典型的には、ネットワークは、通信のためにライセンス・バンドを使用する。しかしながら、時には、より多くのリソースを応用する必要性が存在する。これは、ＬＴＥ用のライセンスド・アシステッド・アクセス（ＬＡＡ）としても知られるＬＴＥ−アンライセンス（ＬＴＥ−Ｕ）などのアンライセンス・バンド上で通信を行うことによって達成可能である。このようなアンライセンスＬＴＥ−オペレーションのための例示的周波数バンドとしては、５ＧＨｚの産業科学医療用（ＩＳＭ）バンドが考えられる。ライセンス・バンドＬＴＥは、アンライセンス・スペクトルよりも優れたサービス品質を有することができ、ＬＴＥ−Ｕはより多くのライセンス・バンドを有する必要性を無くしてはくれないものの、ＬＴＥ−Ｕは、いくつかの状況下でユーザーの需要を満たすために有利であり得る。１つの解決法としては、ＷｉＦｉオフ・ローディングもあり得るが、アンライセンス・バンド上のＬＴＥは、システムが高負荷となった場合、ＷｉＦｉよりも優れた機能を示し得る。
【００１３】
所与のアンライセンス・無線バンド上での伝送が許可される前に、端末またはアクセス・ポイント（例えばＬＴＥ−Ａの進化型ノードＢ（ｅＮＢ））は、規制上の要件に応じて、短時間、所与の無線周波数を監視して、他の何らかの伝送によってスペクトルが既に占有されていないことを保証する必要があり得る。この要件は、リッスン・ビフォア・トーク（ＬＢＴ）プロシージャと呼ばれる。
【００１４】
一実施形態において、提案されたアプローチは、フレーム式機器に対して適用可能である。このようなフレーム式機器は、送信／受信構造が直接需要駆動式でなく、固定されたタイミングを有する機器である。フレーム式機器については、ＬＢＴオペレーションを次のように定義することができる。
【００１５】
オペレーティング・チャネル上での伝送を開始する前に、機器（ダウンリンク内のｅＮＢ１００またはアップリンク内のＵＥ１０４／１０６のいずれか）には、クリア・チャネル・アセスメント（ＣＣＡ）プロセスなどのリッスン・ビフォア・トーク（ＬＢＴ）プロシージャを行うことが求められる可能性がある。機器は、ＣＣＡ観察時間の持続中、オペレーティング・チャネルを観察することができる。これは少なくとも２０マイクロ秒であり得る。ＣＣＡのためのエネルギー検出閾値は、送信機の最大送信電力に正比例し得る。
【００１６】
オペレーティング・チャネルは、チャネル内のエネルギーレベルが、ＣＣＡ持続時間中予め設定されたエネルギー検出閾値を上回った場合に、占有されているとみなされる。オペレーティング・チャネルが占有されていることを機器が発見した場合、機器は、次の予め定義された固定フレーム期間の間、そのチャネル上で伝送できない。しかしながら、オペレーティング・チャネルが空いていることを発見した場合、機器はそのチャネル上で伝送できる。
【００１７】
機器が所与のチャネルの利用可能性を再評価することなくそのチャネル上で伝送を行う可能性を有する合計時間は、チャネル占有時間として定義される。チャネル占有時間は、１ｍｓから１０ｍｓの範囲内にあり、最小アイドル期間は、現在の固定フレーム期間について機器により使用されるチャネル占有時間の少なくとも５％であり得る。規制上の要件に応じて、所与の範囲（１ｍｓから１０ｍｓ）外のチャネル占有時間も考慮することができる。
【００１８】
これらの規則は、部分的に、それぞれのスペクトル上で動作するシステムについてのいくつかの境界条件を定義し得るが、これらの規制は、システムをどのように定義し動作させるかについての詳細な解決法を提供していない。例えば、ＬＴＥ−Ｕで接続状態にあるＬＢＴに関連する１つの問題は、現在のＬＴＥ無線フレーム構造との共通性が最大化されＬＢＴに起因するシステム・オーバーヘッドが最小化されるように、いかにして現在のＬＴＥ無線フレーム構造上でＬＢＴをサポートするか、ということにある。さらに、アップリンク（ＵＬ）およびダウンリンク（ＤＬ）オペレーションの両方をサポートすることが重要であり得る。
【００１９】
したがって、少なくともＬＴＥ−Ｕバンド上でのダウンリンクおよびアップリンク時分割２重（ＴＤＤ）通信のために好適であるチャネル予約ウィンドウ配置が提案されている。通信は、ネットワーク要素（例えばｅＮＢ１００）と端末デバイス（例えばＵＥ１０４）の間で行われ得る。すなわち、ＵＥ１０４は、アンライセンス・バンド上での送信または受信の両方を行う能力を有することができる。ＬＴＥ−Ｕバンドの応用に起因して、提案されるチャネル予約ウィンドウは、ＬＢＴ−プロシージャ（例えばＣＣＡ）をサポートし得る。提案される予約ウィンドウは、ＬＢＴ要件に違反することなくサポートされ得るＤＬおよびＵＬリソースの最大数と適合し得る。
【００２０】
図２および３に示されているように、チャネル予約ウィンドウ（ＣＲＷ）３００を定義するために、ｅＮＢ１００は、ステップ２００において、ＣＲＷ３００が複数のサブフレーム３０２を含むようにＣＲＷ３００の長さを設定する。その後、ｅＮＢ１００は、ステップ２０２において、ＣＲＷ３００を少なくともＤＬ部分３０４およびＵＬ部分３０６へと分割することができる。図２は、ｅＮＢ１００などの無線デバイスによって行われ得る方法を表わしている。他の付随する図は、図２の方法を詳述することによって、さらなる実施形態を提供し得る。
【００２１】
ＤＬ部分３０４は、少なくとも１つ以上のＤＬサブフレーム（対角レンガでマークされているもの）を含み得る。いくつかの実施形態において、ＤＬ部分３０４はさらに、ＤＬパイロット・タイム・スロット３１０（点でマークされているもの）を含み得る。ＤＬ部分３０４の長さは、ＤＬサブフレームの数によっておよびＤｗＰＴＳ３１０の構成（例えばＤｗＰＴＳ３１０の長さ）によって定義され得る。ＤＬ部分３０４の長さは、上位層シグナリングを介して予め定義されるかまたは構成され得る。最大で、ＤＬ部分３０４の長さはＣＲＷ周期性に等しい。
【００２２】
ＵＬ部分３０４は、例えば図３Ａ〜３Ｃに示されているように、（垂直ダッシュ記号でマークされた）少なくとも１つ以上のＵＬサブフレームを含み得る。ＵＬ部分３０６の長さは、ＵＬサブフレームの数によって（および存在する場合にはアップリンクパイロット・タイム・スロットＵｐＰＴＳの構成によって）定義され得る。ＵＬ部分３０６の長さは上位層シグナリングを介して予め定義されるかまたは構成され得る。
【００２３】
いくつかの実施形態において、ｅＮＢ１００はさらに、少なくともＤＬパイロット・タイム・スロット３１０およびガード期間３１２（白色ブロック）を含む特別サブフレーム３０８としてＣＲＷ３００の少なくとも１つのサブフレームを割当てることができ、このガード期間（ＧＰ）は、ＤＬ部分３０４とＵＬ部分３０６の間での切換えを目的としている。こうして、ＧＰ３１２は、切換えのハードウェア遅延を補償することができる。さらに、ＧＰ３１２は、ＤＬからＵＬへの切換えのために必要とされ得る。さらに、ＧＰ３１２は、通信当事者（例えばｅＮＢ１００およびＵＥ１０４）の間の最大伝播遅延を補給するためにも使用され得る。したがってＧＰの長さは、最大のサポート可能セルサイズを決定し得る。
【００２４】
ＤｗＰＴＳ３１０は、ＤＬ伝送のために使用することができ、スケジューラの判断により、データだけでなく、基準信号および制御情報を搬送することができる。
？？？
ＤｗＰＴＳは同様に、一次同期化信号（ＰＳＳ）も搬送することができる。特別サブフレーム部分の記号（例えば直交周波数分割多重アクセスＯＦＤＭＡ記号）で表わした個別の持続時間は、例えばネットワーク構成により調整可能である。特別サブフレーム３０８用として異なる予め定義された構成が存在し得る。したがって、存在する場合、ＤｗＰＴＳ３１０、ＧＰ３１２およびＵｐＰＴＳ３１４の長さを定義するために、好適なＴＤＤ特別サブフレーム構成を選択または決定することができる。
【００２５】
ＣＲＷ３００の異なる構成も存在し得る。構成の数およびフォーマットは、予め定義され得る。ＤＬサブフレームとＵＬサブフレームの間の比率は、構成に応じて変動し得る。ＣＲＷ３００の長さが５ｍｓ（非限定的な例示的長さ）である場合、ＣＲＷ３００の異なる構成は、１ＤＬ対３ＵＬ、２ＤＬ対２ＵＬ、３ＤＬ対１ＵＬ、および４ＤＬ対０ＵＬであり得る。これらの各々は、ＤＬ部分３０４の後に１つの特別サブフレーム３０８を含み得る。同様に、ＣＲＷ３００内に２つ以上のＤＬ部分が存在する構成も存在し得るということを指摘することができる。少なくとも２つのＤＬ部分を含むこれらのタイプの構成は、ＣＲＷ３００の内部でのＵＬ−ＤＬ遷移を必要とする可能性があり、これは、ＴＡ３１８に関連付けされたガード期間の使用によって処理され得る。２つ以上のＵＬ部分が存在する場合、第２のＵＬ部分に先行する別の特別サブフレームの必要性も同様に存在し得る。構成の選択は、現在のサービス要件に依存することができる。しかしながら、単純さのために、１つのＤＬ部分３０４および１つのＵＬ部分３０６を伴うケースを考慮したい。このような構成は、最も効率の良いリソース利用を提供し得る。
【００２６】
一実施形態において、ＣＲＷ３００の長さは２ｍｓから１０ｍｓの間で変動する。サブフレーム数をＮと表示すると、Ｎ∈［２，３，…，１０］である。知られているように、連続する１０個のサブフレーム３０２は、ＬＴＥの１無線フレームを形成する。したがって、Ｎ∈［２，３，…，１０］を使用することは、例えば下位互換性を提供するために有利であり得る。一実施形態において、定義されたＣＲＷ３００は、５ｍｓまたは１０ｍｓの長さを有する。ＴＤＤフレームフォーマットは、５ｍｓの周期性を有しており、したがって、５ｍｓまたは１０ｍｓの使用は有益でかつ効率的であり得る。例示的図において、長さは、単純さのために、５ｍｓ（５サブフレームに対応する）であるものとして表わされている。
【００２７】
図３Ａは、さらに、アップリンクパイロット・タイム・スロット３１４（ＵｐＰＴＳ、右傾斜対角ダッシュ記号でマークされているもの）を示している。ＵｐＰＴＳ３１４は、例えば、ＵＥ１０からのサウンディング参照信号（ＳＲＳ）伝送のために意図され得る。しかしながら、ＵｐＰＴＳ３１４の使用は強制ではなく（すなわち、ＵｐＰＴＳ３１２は、ＵＬ伝送のために使用してもしなくもよい）、いくつかの実施形態において、ＵｐＰＴＳ３１４は省略されている。ＵｐＰＴＳ３１４が使用されていない場合、特別サブフレーム３０８内にＧＰ３１２およびＤｗＰＴＳ３１０のための余裕がさらに存在する。ＵｐＰＴＳ３１４が存在する場合、ＵｐＰＴＳ３１４は、図が示すように、ＵＬ部分３０６の中に含まれ得る。
【００２８】
このようにして得られたＣＲＷ３００が、図３に示されている。これらの図は同様に、明確さのために、次のＣＲＷ３１６の始まりも表わしている。したがって、チャネル予約ウィンドウ３００は、１つ以上のＤＬサブフレームとそれに続く特別サブフレーム３０８を含むＤＬ部分３０４、および１つ以上のＵＬサブフレームを含むＵＬ部分３０６を備え得る。ＤＬサブフレーム、特別サブフレームおよびＵＬサブフレームの数ならびにＣＲＷ３００の長さは、上位層シグナリングなどを介して予め定義されるかまたは構成され得る。ＤＬサブフレームの数、特別サブフレーム３０８内のＤｗＰＴＳ３１０、ＧＰ３１２およびＵｐＰＴＳ３１４の長さ、およびＵＬサブフレームの数は共に、定義されたＣＲＷ３００の周期性を決定することができる。
【００２９】
このタイプの時分割２重（ＴＤＤ）ＣＲＷ３００はタイムドメイン内でＵＬとＤＬの間で共有され得る。半２重通信タイプにおいて、ＴＤＤ内の伝送は、任意のＤＬリソースが使用されている間全てのＵＬ伝送が保留状態にあり得、その逆もあり得ることから、非連続的である。
【００３０】
ＤＬ部分／部３０４に関係するオペレーション（すなわちｅＮＢ伝送）およびＵＬ部分／部３０６に関係するオペレーション（すなわちＵＥ伝送）は、例えば図３Ｂに示されているように、異なるタイミングでＣＲＷ３００を適用する。したがって、ステップ２０４において、ｅＮＢ１００はＤＬ部３０４の開始とＵＬ部３０６の開始の間のＤＬ−ＵＬタイミング・オフセット３２０を決定し得る。ＤＬ−ＵＬタイミング・オフセット３２０は、少なくとも部分的にｅＮＢ１００とＵＥ１０４の間の適用されたＴＡ３１８に基づく。単純さのために、図３Ｂおよび３Ｃは、ＵＬからＤＬへの切換えギャップを表わしていない。ＤＬおよびＵＬ部分３０４、３０６の間のこのタイミング差は、タイミング差だけでなくＣＲＷ１００内部のサブフレーム内のＵＬ−ＤＬスプリットをも定義し得る。したがって、ＤＬ部３０４およびＵＬ部３０６のタイミングおよび長さは、タイミング・オフセット３２０を介してリンクされる。例えば、最初のＵＬ伝送のタイミングは、ＤＬタイミング、決定されたＤＬ−ＵＬタイミング・オフセット３２０、およびタイミング・アドバンス値３１８に依存することができる。別の例として、ＣＲＷ３００内部の最後のＵＬ伝送サブフレームのタイミングは、ＤＬタイミング、決定されたＤＬ−ＵＬタイミング・オフセット３２０、タイミング・アドバンス値３１８およびＣＲＷ３００の長さに依存することができる。
【００３１】
タイミング・オフセット３２０はさらに、ＤＬ部３０４内のサブフレーム数に基づいて、およびＤｗＰＴＳ３１０およびＧＰ３１２の長さに基づいて決定され得る。タイミング・オフセット３２０の決定に影響を及ぼすさらなる１つの要因は、スケジューリングされたＵＬグラントの知識である。一実施形態において、ＵｐＰＴＳ３１４の時間周期について割当てられたＵＬ伝送が存在しない場合には、ＵＥ１０４がＵｐＰＴＳ３１４の間伝送しないことから、タイミング・オフセット３２０はより大きいものであり得る。ＵｐＰＴＳ３１４の間にＵＬ伝送が存在する場合には、ＤＬ−ＵＬタイミング・オフセット３２０（ＴＯ）は、ＴＯ＝（ＤＬサブフレームの長さ）＋（特別サブフレーム３０８の長さ）−（ＴＡ３１８の長さ）−（ＵｐＰＴＳ３１４の長さ）として求めることができる。ＵｐＰＴＳ３１４が存在しない場合には、ＴＯ＝（ＤＬサブフレームの長さ）＋（特別サブフレーム３０８の長さ）−（ＴＡ３１８の長さ）となる。
【００３２】
定義されたＣＲＷ３００はＬＴＥ−Ｕバンド上で使用され得ることから、ＣＲＷ３００は、伝送が許可される前にｅＮＢ１００により行われるＤＬクリア・チャネル・アセスメント・プロセス（ＤＬ  ＣＣＡ）３２２および伝送が許可される前にＵＥ１０４により行われるＵＬクリア・チャネル・アセスメント・プロセス（ＵＬ  ＣＣＡ）３２４の両方のための時間周期を含む必要があり得る。ＣＣＡが一例として使用されているものの、同等に適用可能である利用可能な他のＬＢＴソリューションが存在し得る。
【００３３】
ステップ２０６において、ｅＮＢ１００は、例えば図３Ｂおよび３Ｃに示されているように、少なくとも部分的にＤＬ−ＵＬタイミング・オフセット３２０に基づいて、ＤＬ  ＣＣＡ３２２およびＵＬ  ＣＣＡ３２４のうちの少なくとも１つについて、ＣＲＷ３００内部でタイミングを定義することが提案されている。ＤＬ部分のタイミングは、ＤＬ  ＣＣＡ３２２がＤＬ部分３０４の直前に行われるようなｅＮＢのＤＬ  ＣＣＡタイミングを定義し得る。ＵＬ部分３０６のタイミングは、ＵＥのＵＬ  ＣＣＡタイミングを定義し得る。ＵＬタイミングは、ＤＬ−ＵＬタイミング・オフセット３２０およびタイミング・アドバンス値３１８を用いてＤＬタイミングにリンクされる。所与のＣＲＷ構成／フォーマットにおいて、適用されるＴＡ３１８が大きければ大きいほど、タイミング・オフセット３２０は小さくなり、その逆も成り立つ。ＣＣＡ期間３２２、３２４（それぞれＵＬおよびＤＬ）中、通信当事者１００および１０４は、ＬＴＥ−Ｕバンド上でサイレント（伝送無し）となるように構成され得る。ＣＣＡ期間３２２および３２４の所要長さは、予め構成されるかまたはネットワークにより動的に与えられ得る。
【００３４】
最初に、ＵＬ  ＣＣＡ３２４のタイミングをより詳しく見て行きたい。一実施形態において、ＵＬ  ＣＣＡプロセスは、図３Ｃに示されているように、ＤＬ−ＵＬタイミング・オフセット３２０の終了前、および少なくともガード期間３１２の間に行われる。換言すると、予め定義されたまたは構成された長さのＵＬ  ＣＣＡ観察時間３２４は、ＵＬ  ＣＣＡ観察時間３２４がＤＬ−ＵＬタイミング・オフセットの終了時にちょうど終るように、ＧＰ３１２中に開始させられる。代替的には、ＵＬ  ＣＣＡ観察時間３２４は、ＵＥ１０４がＤＬ伝送の終了を受信した直後（すなわちＤｗＰＴＳ３１０の後）に開始し得る。一実施形態において、ＵＬ  ＣＣＡ３２４の後、ＵＬ伝送の前にＲＸからＴＸ（すなわちＤＬからＵＬ）への切替えのみが存在し得る。ｅＮＢ１００は、ＬＴＥ−Ｕバンド上で、ＵＬ  ＣＣＡプロセス３２４中サイレントであり得る（すなわちｅＮＢ１００はこの期間中伝送しない可能性がある）。さらに、ｅＮＢ１００は、ＵＬ  ＣＣＡプロセス３２４の間、セル１０２内の他のＵＥ（例えばＵＥ１０６）が伝送を許されないことを保証することができる。
【００３５】
前述のように、一実施形態において、特別サブフレーム３０８はさらに、ガード期間３１２後にＵｐＰＴＳ３１４を備えている。一実施形態において、ＵＬ  ＣＣＡ３２４は、ＵｐＰＴＳ３１４の間も発生し得る。このような場合、ｅＮＢ１００は、ＵＬ  ＣＣＡプロセス３２４がＵｐＰＴＳ３１４の間続行できるようにするため、少なくともＵｐＰＴＳ３１４の一部についてＵＬ伝送のスケジューリングを抑制し得る。このことは、図４Ｃに示されており、ここでｅＮＢ１００は、ＵｐＰＴＳ３１４の少なくとも一部についていかなるアップリンク伝送（例えばＳＲＳおよびランダムアクセスチャネル（ＲＡＣＨ）プリアンブル）もスケジュールしておらず、したがってＵｐＰＴＳ３１４は、伝送無しの白色ブロックとして示されている。そこで、ＵＬ  ＣＣＡプロセス３２４を行うためにより多くの時間と柔軟性が存在する。この実施形態は、伝播遅延が大きいものであり得ることから、より大きいセルサイズを許容できる。
【００３６】
したがって、ＵＬ  ＣＣＡ／ＬＢＴ測定機会３２４は、特別サブフレーム中に発生する。ＵＬ  ＣＣＡ３２４は、ＧＰ３１２の間に発生し得るか、またはＵＬ  ＣＣＡ３２４は、ＧＰ３１２およびＵｐＰＴＳ３１４により定義される時間周期中に発生し得る。
【００３７】
一実施形態において、ｅＮＢ１００は、例えば上位層シグナリングを介して、ＵＥ１０４に対し、上述の２つのオプションのうちのいずれにしたがってＵＥ１０４はＣＣＡ／ＬＢＴ測定３２４を行うのか、すなわちＵＬ  ＣＣＡプロセス３２４をガード期間３１２に限定すべきか否か、を標示することができる。さらに１つの実施形態において、ＵＬ  ＣＣＡ３２４は、スケジューリングされていないＵｐＰＴＳ３１４中にのみ発生し得る。
【００３８】
次に、ＤＬ  ＣＣＡ３２２をさらに詳細に見て行きたい。一実施形態においては、図３Ｃに示されているように、ＤＬ  ＣＣＡプロセス３２２は、ＣＲＷ３００の最後のサブフレームの間に行うことができ、ＤＬ  ＣＣＡプロセスのタイミングは、ＣＲＷ３００の長さおよびタイミングにより定義される。このようにして、ｅＮＢ１００は、つねに次のＣＲＷ３１６内の次のＤＬ伝送セットの前にＤＬ  ＣＣＡ３２２を行うことができる。このことは、衝突を回避できるようにするため、および規制を確実に遵守するために有利であり得る。ＤＬ  ＣＣＡ３２２の間、ＵＥ１０４はいかなるＵＬ伝送も行わないように構成される。
【００３９】
図４Ａに示されているＤＬ  ＣＣＡ３２２を行うための一実施形態において、ｅＮＢ１００は、参照番号４００で示されているように、ＣＲＷ３００の最後のサブフレームの少なくとも一部についていかなるＵＬ伝送のスケジューリングも抑制し得る。このことはすなわち、ＵＬデータが、現在のＣＲＷ３００の終了前にｅＮＢ１００で受信されることを意味し得る。したがって、ｅＮＢ１００が最後のサブフレームの未占有部の間にｅＮＢ１００がＤＬ  ＣＣＡプロセス３２２を行うための時間周期が残される。一実施形態において、ｅＮＢ１００は、チャネル予約ウィンドウ３００の最後のＵＬサブフレームの最後の単一周波数−周波数分割多重アクセス（ＳＣ−ＦＤＭＡ）記号（すなわち、そうでなければＳＲＳの伝送のために構成され得ると考えられるＳＣ−ＦＤＭＡ記号）の間、ＣＣＡ／ＬＢＴ測定３２２を行うことができる。この場合、最後のサブフレームの最後のＳＣ−ＦＤＭＡ記号は、スケジューリングされておらずｅＮＢ１００のためにＣＣＡ／ＬＢＴの機会３２２を提供する目的のみのために予約され得る。ここで、「標準」長のＴＡ３１８Ａを使用することができる。すなわち決定されたＴＡ３１８Ａは、ｅＮＢ１００とＵＥ１０４（および１０６）の間の伝播遅延に基づくことができる。
【００４０】
別の実施形態において、ｅＮＢ１００は、最初にＵＥ１０４（または通信当事者である方のＵＥ）のためのタイム・アドバンス値（ＴＡ３１８）を決定することができる。しかしながら、ｅＮＢ１００はこのとき、図４Ｂに示されているように、ＵＬデータが受信された後で、かつ次のＣＲＷ３１６が始まる前にＤＬ  ＣＣＡプロセス３２２用の時間周期４０２が生成されるように、ＴＡ３１８を増大させることができる。増大したＴＡは、参照番号３１８Ｂで示され、対角点線は、調整されたＴＡ３１８Ｂが伝播遅延に必要とされると思われるものよりも長いことを表わしている。結果として、ｅＮＢ１００は、ＵＥ１０４に対して大き過ぎるＴＡ３１８Ｂを標示し、ＣＲＷ３００の最後のサブフレーム中にＵＬデータが受信された後ＤＬ  ＣＣＡプロセス３２２を行うことができる。この実施形態は、図４Ｂ内で、参照番号４０４で示されているように、たとえＣＲＷ３００の最後のＵＬサブフレームが完全に占有されている場合でも、同時ＵＬ受信の必要無く、ｅＮＢ１００がＬＢＴ測定を行う時間が存在し得ることから、有利であり得る。換言すると、（図４Ａの実施形態において行われているように）最後のＵＬサブフレームを短縮する必要性は全くない可能性がある。
【００４１】
一実施形態において、ＴＡ増分は、任意のＬＴＥ−Ｕ  ＵＬ伝送について（例えばネットワーク仕様により）予め定義され得る。次に、ｅＮＢ１００は、ＴＡ調整を行わない可能性があるが、ＵＥが自ら、伝送前にＴＡ調整を行ない得る。こうして、ｅＮＢ１００のリソースを節約することができる。
【００４２】
一実施形態において、ｅＮＢ１００は、ＤＬ  ＣＣＡ３２２およびＵＬ  ＣＣＡ３２４（２つのアイドル期間）ならびにＴＸ／ＲＸ切換え（すなわちＣＣＡ観察から伝送へ）のための充分な余裕を確保するように、ＣＲＷ３００の特別サブフレーム３０８の規模を決定することができる。ＵＬ  ＣＣＡ３２４は、特別サブフレームの間に行われるが、特別サブフレーム３０８の適正な規模を決定すること（例えばＴＡ３１８の決定を介したもの）によっても同様に、図に説明され示されているように、ＣＲＷ３００の終りでＤＬ  ＣＣＡ３２２のための充分な余裕を確保することができる。
【００４３】
一実施形態において、ｅＮＢ１００は、ＵＥ１０４がアップリンク部３０６の開始前にＵＬ  ＣＣＡ３２４を行う時間を有し、ｅＮＢ１００が次のＣＲＷ３１６Ａの３０４の開始前にＤＬ  ＣＣＡ３２２を行う時間を有するように、タイミング・アドバンス３１８およびガード期間３１２を決定することによって、特別サブフレームの規模を決定することができる。ｅＮＢ１００はさらに、一実施形態において、決定されたＴＡ３１８をＵＥ１０４に標示することができる。
【００４４】
一実施形態において、ｅＮＢ１００は、ＵＥ１０４に対してＣＲＥ３００の構成の少なくとも一部を標示し得る。一実施形態において、構成の標示された部は、例えば、対応する部３０４、３０６のサブフレーム数および／または対応する部３０４、３０６のタイミングなど、ＤＬ部３０４の情報および／またはＵＬ部３０６の情報を含み得る。標示された部は同様に、ＴＡ３１８、ガード期間３１２、ＤｗＰＴＳ３１０、ＵｐＰＴＳ３１４、ＤＬ−ＵＬタイミング・オフセット３２０のうちの少なくとも１つの長さおよび／またはタイミング情報も含み得る。
【００４５】
図５に示されているように、一実施形態において、ＣＲＷの異なる構成が存在し、各構成がＤＬ部３０４とＵＬ部３０６の間の分割を設定し得る。ｅＮＢ１００は、物理層シグナリングなどを介して、ＣＲＷ３００の現在の構成を動的に変更（オーバーライド）し得る。このような再構成の可能性は、フレキシブルＵＬ−ＤＬオペレーションと呼ぶことができる。図５は、３つの異なる構成、３００Ａ（２ＤＬ−２ＵＬ）、３００Ｂ（４ＤＬ−０ＵＬ）、および３００Ｃ（１ＤＬ−３ＵＬ）を示す。図は同様に、６００Ａおよび６００Ｂという参照番号で、現在の構成の動的オーバーライドを示している。各オーバーライドは、予め設定された持続時間を有することができ、この持続時間の後、先行する構成が使用される。各オーバーライドは、例えば単一のＣＲＷ持続時間だけ持続し得る。これにより、シグナリングリソースは節約され得る。別の実施形態において、各オーバーライドと共に有効性持続時間がシグナリングされる。さらに一実施形態においては、各オーバーライドは、別段の標示がなされるまで有効である。
【００４６】
各構成は、ＤＬサブフレーム後、特別サブフレーム３０８を有する。単純さのために、特別サブフレーム３０８は、ＵｐＰＴＳ３１４を備えず、ＤｗＰＴＳ３１０Ａ〜３１０ＣおよびＧＰ３１２Ａ〜３１２Ｃのみを備えることが仮定される。同様に、単純さのために、ＣＲＷ３００のＡ〜３００Ｃの長さが５ｍｓ（５つのサブフレームを含む）であることが仮定される。
【００４７】
図５は同様に、ｅＮＢ１００（ＤＬ画面）およびＵＥ１０４（ＵＬ画面）の視点から見た異なるＣＲＷ３００Ａ〜３００Ｃの使用も示す。最初に、ｅＮＢ１００は、２つのＤＬサブフレームおよびＤｗＰＴＳ３１０Ａの間にＤＬ伝送を開始する。次に、ｅＮＢ１００は、ガード期間３１２Ａに入り、ＲＸモードに変更する。ひとたびＵＥ１０４がＤＬデータを受信した時点で、ＵＥ１０４は、ＧＰ３１２Ａの間にＵＬ  ＣＣＡ３２４Ａを開始する。チャネルが空いておりＵＥ１０４がＣＲＷ３００Ａ内の１つ以上のＵＬサブフレームに宛てたＵＬグラントを受信したことをＣＣＡ／ＬＢＴ測定３２４Ａが標示した場合、ＵＥ１０４は、ＵＬグラントにしたがって、物理アップリンク共有チャネル（ＰＵＳＣＨ）を伝送する。伝送の前に、ＵＥ１０４は同様に、ＲｘからＴＸへの切換えを行う。
【００４８】
しかしながら、ＣＣＡ／ＬＢＴ３２４Ａにしたがってチャネルが空いていないことが検知された場合、ＵＥ１０４は、ＰＵＳＣＨ伝送を省略し得る。後述するように、物理アップリンク制御チャネル（ＰＵＳＣＨ）上の制御シグナリングはなお、一次セル（ＰＣｅｌｌ）を介して伝送され得る。例えば、二次セル（ＳＣｅｌｌ）のＬＴＥ−Ｕキャリアに関連するＰＵＣＣＨは、ＰＣｅｌｌ上のみにＰＵＣＣＨを有するＬＴＥキャリア・アグリゲーション原理にしたがって、ＰＣｅｌｌを介して搬送され得る。
【００４９】
最後のＵＬサブフレームは、ｅＮＢ１００が次のＣＲＷ３００Ｂの開始前にＤＬ  ＣＣＡ３２２Ａを行うことができるように、部分的に未占有となるようにスケジューリングされ得る。ＤＬ  ＣＣＡ／ＬＢＴ測定３２２Ａが、肯定的結果（すなわち、アンライセンスチャネルが空いている）を与えた場合、ｅＮＢ１００は、（第１のＤＬサブフレームから出発し、瞬間的ＤＬトラフィックの必要性に基づいて）ＣＲＷ３００Ｂの全てのＤＬサブフレーム内でＤＬ信号を伝送し得る。ＣＣＡ３２２Ａが空いていないチャネルを標示した場合、ｅＮＢ１００は、ＣＲＷ３００Ｂの間、いかなるデータも伝送できない。しかしながら、一実施形態において、短い制御シグナリング、例えばＤＲＳ／ＳＣＳ（発見基準信号／短制御信号）を伝送することができる。
【００５０】
ここで、第２のＣＲＷ構成３００Ｂは、ＤＬサブフレームのみを含む（ＤＬ専用ＣＲＷと呼ばれる）。したがって、図示されているように、ＵＥ１０４は、有利には、いかなる伝送スロットも有していないことから、ＧＰ３１２Ｂの間にＵＬ  ＣＣＡ３２４Ｂを行わない可能性がある。しかしながら、ｅＮＢ１００は、ＣＲＷ３００Ｂの終りで、まずＴｘからＲｘへの切換え、次にＤＬ  ＣＣＡ３２２Ｂ、そして最後に（ＤＬ  ＣＣＡ３２２Ｂが空チャネルを標示した場合）ＲｘからＴｘへの切換えを行う必要がある場合がある。次にＣＲＷ３００Ｃにおいて、ｅＮＢ１００は、まず１つのＤＬサブフレームおよびＤｗＰＴＳ３１２Ｃを伝送し、その後、ＧＰ３１２Ｃの間にＴｘからＲｘに変更する。
【００５１】
ｅＮＢ１００は、ＣＲＷ３００Ｃの第１のＵＬサブフレームから出発してＵＬサブフレームを連続的にスケジューリングすることができ、（ＵＥ１０４が、ＵＬサブフレームの間にいかなるＵＬ  ＣＣＡも行う必要がないように）利用可能な後続する連続的ＵＬサブフレームの全てを含むができる。ｅＮＢ１００は、ＤＬ  ＣＣＡ３２２Ｂ測定を行う前に、必要なＵＬスケジューリング・グラントを伝送し終っている可能性がある。スケジューリング（例えばＬＴＥ−Ｕ  ＴＤＤキャリヤ・セルフ・スケジューリングまたはクロスキャリヤ・スケジューリング）は、例えばＬＴＥ  ＰＣｅｌｌを介して行われ得る。今やＵＬグラントおよびＵＬサブフレームをスケジューリングし終ったＵＥ１００は、ＧＰ３１２Ｃの間にＵＬ  ＣＣＡ３２４Ｃを行ない（かつＲｘからＴｘに切換え）、ＵＬサブフレームの伝送を開始する。このようにして、ＣＲＷ３００Ａ〜３００Ｃを使用することによって、ｅＮＢ１００とＵＥ１０４の間の通信が行われ得る。
【００５２】
一実施形態においては、予め設定されたデフォルトチャネル予約ウィンドウ構成が存在する。一実施形態においては、ＣＲＷ３００のサブフレームタイプを定義するために、ＴＤＤ  ＵＬ−ＤＬ構成＃０が適用される。ＴＤＤ  ＵＬ−ＤＬ構成＃０において、１つの無線フレームのサブフレームは、Ｄ、Ｓ、Ｕ、Ｕ、Ｕ、Ｄ、Ｓ、Ｕ、Ｕ、およびＵであり、ここでＤはダウンリンク、Ｕはアップリンク、Ｓは特別サブフレームを表わす。このようなＴＤＤ  ＵＬ−ＤＬ構成＃０はこうして、２つのＣＲＷを備えることができ、各ＣＲＷは構成Ｄ、Ｓ、Ｕ、Ｕ、Ｕにより定義される。一実施形態において、このＴＤＤ  ＵＬ−ＤＬ構成＃０は、ＣＲＷ３００のデフォルト構成として考慮できる。しかしながら、ＴＤＤ  ＵＬ−ＤＬ構成＃０の代りに、デフォルトＣＲＷ構成を誘導するためのＬＴＥ−Ｕ  ＴＤＤオペレーションの根拠として、任意のＴＤＤ構成を使用し得る。
【００５３】
一実施形態において、ＣＲＷ３００の構成は、ＤＬ使用のみに予約される少なくとも１つの静的サブフレーム、およびＵＬ使用とＤＬ使用の間の動的配分のために予約される少なくとも１つの動的サブフレームを備える。例えば、図５において、静的（ＤＬ専用サブフレーム）は、サブフレーム＃０、＃５および＃１０であり得る。特別サブフレームは、ＤＬ部３０６に後続することから、サブフレーム＃１、＃６および＃１１も同様に、ダイナミックＵＬ利用のために利用可能でない静的サブフレームと考えることができる。しかしながら、残りのサブフレーム、すなわちサブフレーム＃２〜＃４、＃７〜＃９、および＃１２〜＃１４は、動的サブフレームであり得、したがってＵＬまたはＤＬのいずれのためにも使用できる。
【００５４】
一実施形態において、アップリンクおよびダウンリンク使用の間の動的配分のために予約される動的サブフレームの数は、少なくとも部分的にタイミング・オフセット３２０に依存することができる。一実施形態において、関係は、以下のように定義できる：
Ｎ２＝ｆｌｏｏｒ（Ｎ−ＴＯ−Ｙ）、ここでフロア演算は、最大の先行する整数に対して定数をマッピングし、Ｎは、サブフレーム内のＣＲＷ３００の長さを意味し、Ｎ２は、動的サブフレームの数であり、ＴＯは、ｍｓ単位のＤＬ−ＵＬタイミング・オフセット３２０の長さであり、Ｙは、ガード期間３１２を表わす実数を意味する（同様にゼロでもあり得る）。
【００５５】
一実施形態において、ｅＮＢ１００は、ＣＲＷ３００の現在の構成を、ＵＬ部からＤＬ部へまたはＤＬ部からＵＬ部へ先行する構成の少なくとも１つの動的サブフレームが再割当てされている新しい構成で動的にオーバーライドすることができる。少なくとも１つのサブフレームの目的を動的に変更するこのようなオプションを、フレキシブルＵＬ−ＤＬ動作と呼ぶことができる。オーバーライドは、上位層シグナリングまたは物理層シグナリング、例えばダウンリンク制御情報（ＤＣＩ）を介して行われ得る。
【００５６】
例えば、図５においては、ＣＲＷ３００ＣのためにデフォルトＴＤＤ  ＵＬ−ＤＬ構成＃０が使用されるが、最初の２つのＣＲＷ３００Ａ、３００Ｂは、既に動的に再構成されている可能性がある。この再構成は、ＣＲＷ３００Ａにとって、ダイナミック（フレキシブルとも呼ばれる）サブフレーム＃２がＵＬサブフレームとしてではなく特別サブフレームとして使用されてきたことを意味し得る。ＣＲＷ３００Ｂについては、一時的な動的オーバードライブが、フレキシブルサブフレーム＃７および＃８をＤＬサブフレームとして役立たせ、フレキシブルサブフレーム＃９を特別サブフレームとして役立たせている可能性がある。一実施形態においては、所定のＵＬ−ＤＬスプリットを有する構成ＡとＤＬサブフレームのみを有する構成Ｂという２つの構成のみが、動的に選択可能である。この実施形態は、ＵＥおよびｅＮＢの両方についてのＣＣＡタイミングを、固定した予め定義されたままに保つことができる。
【００５７】
一実施形態において、ｅＮＢ１００は、少なくとも１つの静的（ＤＬ）サブフレーム内でＤＬ発見信号を伝送することができる。一実施形態において、ｅＮＢ１００は、静的（ＤＬ）サブフレーム内で、非ＵＥ固有基準信号（例えば同期信号（ＰＳＳ／ＳＳＳ）、セル固有基準信号（ＣＲＳ）および／またはチャネル状態情報基準信号（ＣＳＩ−ＲＳ）を伝送できる。
【００５８】
一実施形態において、ＣＲＷ３００（ＤＬ、ＳおよびＵＬサブフレームからなる）は、ＣＲＷ３００Ｂにより暗示されているように、ＤＬサブフレームのみを備えるように一時的に再構成され得る（すなわち、Ｓサブフレームが後続するＤＬサブフレームのみを有するＤＬ専用ＣＲＷへと再構成され得る）。ＤＬ専用ＣＲＷ構成は、例えば、物理層シグナリング（例えばダウンリンク制御情報、ＤＳＩ）が予め定義されたＣＲＷ３００を一時的にオーバーライドするように、実施され得る。
【００５９】
フレキシブルＵＬ−ＤＬ動作に関連する一実施形態において、ＣＲＷ内の特別サブフレーム３０８は、２つのＣＣＡプロセス３２２および３２４、ならびにＴＸ／ＲＸ切換えのための充分な余裕が存在するように、規模が決定される。ＵＥ１０４がＴｘ／Ｒｘ切換えを行うためおよびＣＣＡ３２２、３２４のために充分な切換え時間が利用可能であることを保証するのは、ｅＮＢ１００および／または仕様次第であり得る。しかしながら、ＤＬ専用ＣＲＷ３００Ｂにおいて、特別サブフレーム３０８は、単一のアイドル期間（ＣＲＷ３００Ｂの終りにおけるＤＬ  ＣＣＡプロセス３２２のための時間）、ならびにＴｘ／ＲｘおよびＲｘ／Ｔｘ切換えのための充分な余裕が存在するように、規模が決定され得る。この実施形態は、ＤｗＰＴＳ３１０Ｂのためにより多くの余裕を残し得る。ＤＬ専用ＣＲＷの最後のサブフレームの規模決定に関しては、参照により本明細書に内容が組み込まれる特許出願第××××号を参照のこと。
【００６０】
図６は、割当てられたＵＬグラントが存在しないこと、または、定義されたＣＲＷ３００内にＵＬサブフレームが存在しないことをＵＥ１０４が検出しているシナリオの一例を示す。例えば、図６には、ＤＬ専用ＣＲＷ３００Ｂが示されている。このような場合、ＵＥ１０４は、ステップ６００において、ＵＥ１０４に割当てられたＵＬグラントが存在しないことまたはＣＲＷがいかなるＵＬサブフレームも備えないように（すなわちＵＬ部３０６を備えず、ＤＬ部３０４および特別サブフレーム３０８のみを備えるように）再構成されることを理由として、ＵＬ  ＣＣＡプロセス３２４を行わないことを決定し得る。したがって、ＵＥ１０４は、割当てられたＵＬグラントが存在しない場合、または現在のＣＲＷ内にＵＬサブフレームが存在しない場合、ＵＬ  ＣＣＡ−プロセスを行うのを抑制し得る。このことは、必要とされずいかなる利益も提供しないタスクのためにＵＥ１０４がいかなるリソースも使用しないようにするために、有利であり得る。しかしながら、来るべきＵＬ  ＣＣＡプロセスのための予め定義されたタイミングを維持することはできる。
【００６１】
図７Ａに示されているように、一実施形態においては、３つのＣＲＷが、ＴＤＤ  ＵＬ−ＤＬ構成＃０を適用する無線フレーム７００、７０２上に適用されている。図に示されているように、ＣＲＷは、無線フレーム７００、７０２と整列される必要はない。所与のＣＲＷの開始は、例示的図７Ａに示されているように、例えばサブフレーム４つ分だけ、無線フレーム７００の開始より遅いものであり得る。
【００６２】
図７Ｂに示されているように、一実施形態においては、ＣＲＷ３００の開始は、所定の基準７１０との関係においてタイム・ポジショニングされ得る。例えば、タイム・ポジショニングは、ＣＲＷ３００上の伝送が基準７１０の伝送と同時に開始することを定義し得る。図７Ｃに示されている別の実施形態においては、基準７１０との関係においてＣＲＷ３００の開始を定義することのできる基準オフセットパラメータ７１２が存在し得る。
【００６３】
一実施形態において、基準７１０は、一次同期化信号（ＰＳＳ）、二次同期化信号（ＳＳＳ）のうちの１つの伝送を含む。典型的には他の基準信号が無線フレーム持続時間全体にわたりより大きく拡散しているという観点から見ても、ＰＳＳ／ＳＳＳの使用が有利であり得る。同様に、標準的ＬＴＥにおいても無線フレーム・タイミングを決定するためにＰＳＳ／ＳＳＳを使用できるということも指摘され得る。基準７１０は、所定の無線フレーム、例えば無線フレーム＃０上でのＰＳＳ／ＳＳＳの伝送であり得る。
【００６４】
一実施形態において、基準７１０はサブフレームの正確度で与えられる。したがって、基準７１０がＰＳＳの伝送を含む場合には、ＣＲＷ３００がタイム・アライメントされる、またはタイム・オフセットされる基準７１０は、ＰＳＳを伝送するために使用されるサブフレームを意味する。
【００６５】
一実施形態において、ｅＮＢ１００は、キャリア・アグリゲーション（ＣＡ）に参加し、定義されたＣＲＷ３００は、二次セル（ＳＣｅｌｌ）上の伝送のために適用される。さらに、一実施形態において、基準７１２は、一次コンポーネント・キャリア（ＰＣｅｌｌ）上で伝送される無線フレームを含む。したがって、ＰＣｅｌｌと、ＳＣｅｌｌ上でＣＲＷ３００を利用するＬＴＥ−Ｕとの間には固定したタイミング関係が存在し得る。例えば、ＰＣｅｌｌの一次コンポーネント・キャリア（ＰＣＣ）上で伝送される無線フレームの始まりおよびＳＣｅｌｌの二次コンポーネント・キャリア（ＳＣＣ）上のチャネル予約ウィンドウ３００にしたがって伝送される無線フレームの始まりは、タイム・アライメントされ得る。
【００６６】
一実施形態において、無線フレームおよびＣＲＷは異なる長さを有し得る。このような場合、無線フレームとＣＲＷの間のタイミング関係は、無線フレームまたはサブフレーム番号に依存することができる。例えば、ＰＳＳ／ＳＳＳなどのＳＣｅｌｌ上の一定の信号のタイム・ポジションを決定するために無線フレームを使用することができ、一方固定フレーム期間に対する規制上の要件を満たすために、ＣＲＷ３００を使用することができる。別の実施形態においては、ＳＣｅｌｌ８０２およびＰＣｅｌｌ８００上の無線フレームは、タイム・アライメントされ得る。これにより、仕様、構成および実装が容易になる。
【００６７】
一実施形態において、ＰＣＣ上で伝送される無線フレームのサブフレームおよびＣＲＷ３００にしたがってＳＣＣ上で伝送される無線フレームのサブフレームは、タイム・アライメントされている。サブフレームのタイム・アライメントは、効率を提供し得る。別の実施形態においては、ＰＣｅｌｌとＬＴＥ−Ｕオペレーションの間には、フル・タイム・アライメントが存在する。このことはすなわち、記号も同様にフル・タイム・アライメントされていることを意味し得る。
【００６８】
一実施形態において、１つのセル（例えばセル１０２）内で適用される基準オフセット７１２は、隣接するセル内で適用される対応する基準オフセットと異なる。構成可能な基準オフセットを有することを用いて、隣接する非協調的なＬＴＥ−Ｕセル内でＣＣＡがタイム・アライメントされないことを保証することができる。このことは、全てが時刻同期されたＰＣｅｌｌ（例えば異なるオペレータが同期されている時分割２重（ＴＤＤ）セル）によるサービス提供を受けている異なるオペレータにより多重ＬＴＥ−Ｕ展開を伴うＬＴＥ−Ｕの共存にとって有用であり得る。
【００６９】
一実施形態において、ｅＮＢ１００は、ＰＣｅｌｌのＰＣＣ上での伝送中、ＳＣｅｌｌ上で整数のＣＲＷを適用することができ、各ＣＲＷは同じ長さを有している。すなわち、ＬＴＥ−Ｕ  ＣＲＷフォーマットの利用は、静的または半静的であり得る。ｅＮＢ１００は、上位層シグナリングを介してＰＣｅｌｌとの関係において、ＬＴＥ−Ｕチャネル予約ウィンドウ・フォーマットの利用およびタイミングを構成できる。一実施形態において、チャネル予約ウィンドウ・フォーマットの利用およびタイミングの利用は、ｅＮＢ１００に対して予めコーディングされる。
【００７０】
別の実施形態においては、チャネル予約ウィンドウ間で変動するＬＴＥ−Ｕチャネル予約ウィンドウ・フォーマットが適用され得る。すなわち、各セル／ｅＮＢは、利用可能なＬＴＥ−Ｕチャネル予約ウィンドウ・フォーマット／構成の１つを一度に選択できる。この実施形態では、ｅＮＢ１００は、異なる長さを有する複数のチャネル予約ウィンドウを定義し得る。一実施形態においては、利用可能なＬＴＥ−Ｕチャネル予約ウィンドウ・フォーマットを、仕様内で作表し、ｅＮＢ１００に予めコーディングすることができる。その上、一実施形態では、ＬＴＥ−Ｕチャネル予約ウィンドウ・フォーマットのセットを、ＵＥ１０４、１０６に合わせて（例えば上位層を介して）構成できる。
【００７１】
ｅＮＢ１００（または、例えばユーザー機器）は、チャネルが伝送のために空いていることを検出した後（例えばＣＣＡエネルギー検出の後）、標的デバイス（例えばユーザー端末またはｅＮＢ）に対するデータ伝送のために複数のチャネル予約ウィンドウ構成のうちの１つを選択することができる。このとき、ｅＮＢ１００は、選択されたチャネル予約ウィンドウ３００を標的ユーザー端末（例えばＵＥ１０４）に標示し得る。例えば、ｅＮＢ１００は、層１（Ｌ１）シグナリング内にＬＴＥ−Ｕチャネル予約ウィンドウフォーマットインジケータを含み入れることができる。１つの非限定的なオプションとして、標示は、物理ダウンリンク制御チャネル（ＰＤＣＣＨ）上または強化型ＰＤＣＣＨ上でのスケジューリング割当て内に１〜４個のビットを含み入れることによって、標示を行うことができる。ｅＮＢ１００はこのとき、ユーザー端末１０４に対し、選択されたチャネル予約ウィンドウ３００内でのデータ伝送を行うことができる。
【００７２】
一実施形態において、チャネル予約ウィンドウ間で変動する適用されたチャネル予約ウィンドウ・フォーマットは、ＳＣｅｌｌ物理セル・アイデンティティに少なくとも部分的に基づいて、疑似ランダム・パターンにしたがって決定され得る。例えばチャネル予約ウィンドウ番号またはサブフレーム番号に依存し、少なくとも部分的にＳＣｅｌｌ物理セル・アイデンティティで初期化される疑似乱数発生器の成果を使用して、適用されたチャネル予約ウィンドウ・フォーマットを決定することができる。この実施形態は、公正なＬＢＴ−プロシージャおよび隣接するセル間の無線チャネルへのアクセスをサポートし得る。
【００７３】
上述のように、図８で示したように、ｅＮＢ１００は、ＣＡに参加することができ、定義されたＣＲＷ３００は、ＳＣｅｌｌ８０２上での伝送のために適用される。一実施形態において、ＬＴＥ−Ｕは、ライセンス・バンドＬＴＥオペレーションに依存するように、開発され得る。例えば、ＣＡにおいて、ＰＣｅｌｌ８００はライセンス・バンド上で動作でき、一方アンライセンス・バンドは、定義されたＣＲＷ３００を用いてＳＣｅｌｌ８０２のためのリソースを提供し得る。
【００７４】
一実施例において、ＳＣｅｌｌ８０２上の伝送は、ダウンリンク伝送のみを含み、一方ＰＣｅｌｌ８００は、少なくとも部分的に、必要なアップリンク伝送のために使用される。このようなＳＣｅｌｌ８０２は、補足的ダウンリンク・セル（ＳＤＬ）と呼ぶことができる。一実施形態において、チャネル予約ウィンドウ３００は、ＳＤＬオペレーションに適用可能である。一実施形態において、ＰＣｅｌｌは、ＳＣｅｌｌおよびＳＣＣを提供するｅＮＢ１００とは別の基地局によるサービス提供を受ける。さらに１つの実施形態において、チャネル予約ウィンドウ３００は、補足的アップリンク（ＳＵＬ）オペレーションに適用可能である。
【００７５】
一実施形態において、ＵＬ内またはＤＬ内のデータ伝送は、ＳＣｅｌｌ８０２上で行われ、データ伝送用の確認メッセージおよびスケジューリング・グラントの少なくとも１つが、ＰＣｅｌｌ８００上で得られる。こうして、チャネル予約ウィンドウ３００は、ＳＤＬ／ＳＵＬ上の伝送のために使用され、一方フィードバック・シグナリングおよび／または制御情報は、ライセンス・バンド上で動作し得るＰＣｅｌｌ上で受信され、こうして、これらは、ＬＢＴ／ＣＣＡプロセスを使用する必要がない可能性がある。制御情報の一部は、同じくＳＣｅｌｌ８０２を介して搬送され得る。
【００７６】
一実施形態において、ｅＮＢ１００は、隣接するｅＮＢなどの少なくとも１つの隣接するネットワーク・ノードと、チャネル予約ウィンドウ利用情報を交換することができる。この実施形態は、隣接するセルの間でのＬＴＢチャネル予約ウィンドウ・フォーマット利用の協調をサポートし得る。これにより、ＣＣＡのための異なる干渉協調スキームを有効化し得る。１つのオプションとして、これは、隣接するｅＮＢがＣＣＡプロセス３２２、３２４のために同じタイミングを使用しないことを保証し得る。協調は、例えばＸ２シグナリングなどを介して行うことができる。隣接するセルに対して協調された情報要素には、例えば、ＬＴＥ−Ｕチャネル予約ウィンドウ・フォーマットの利用、およびＬＴＥ−Ｕオペレーションのタイミングが含まれ得る。
【００７７】
本願明細書では、基地局１００が図２の方法を行うように、記載されてきたが、この方法は、ユーザー機器などの、ＣＣＡ要件にしたがった無線通信を行う任意の無線デバイスによって行うことができる。
【００７８】
本願明細書中では、一例としてＯＦＤＭＡ記号が使用されていることから、ブロック処理ベースのアプローチが有効であることを指摘し得る。このことはすなわち、提案された実施形態が、例えば離散フーリエ変換拡散ＯＦＤ−ＭＡ（ＤＦＴ−Ｓ−ＯＦＤＭＡ）を含めた、ブロック処理に基づいてあらゆる波形について同等に有効であることを意味する。
【００７９】
ＵＥ１０４の観点から見ると、ＵＥ１０４は、図９のステップ９００において、定義されたＣＲＷ３００の標示を受信することができる。ＤＬ伝達は、物理ダウンリンク共有チャネル（ＰＤＳＣＨ）上で伝送され得る。ＤＬ割当ての終了は、ＤＬデータ伝送の終りと一致し得る。ＤＬデータ伝送は同様に、伝播遅延を経験する可能性もあり、これは、ＣＲＷ３００のＧＰ部３１２の適切な構成によって処理できる。ＵＥ１０４は、適用されたフレーム構造から、いつそれにＵＬグラントが割当てられたかを知ることができる。そのときＵｅ１０４は、ＵＥ１０４がＵＬ伝送の前にＵＬ  ＣＣＡプロセス３２４を行う必要があることを知ることができる。こうして、ＵＥ１０４は、ＤＬデータ伝送の終了を受信した後、すなわちＤｗＰＴＳ３１０を受信した後、ステップ９０２中で、アップリンク部３０６の開始前にＵＬ  ＣＣＡプロセス３２４を行うことができる。ｅＮＢ１００によるＴＡ３１８およびＧＰ３１２の構成（すなわちＤＬ−ＵＬタイミング・オフセットの構成）は、ＵＥ１０４がＵＬ  ＣＣＡ３２４を行う充分な時間を有すること（と同様に、以上で説明したように、ｅＮＢがそのＤＬ  ＣＣＡプロセスを行うのに充分な時間を有すること）を保証することができる。アップリンクグラントが全く割当てられない場合、またはＣＲＷ３００がいかなるアップリンクサブフレームも含まないように再定義された場合（すなわちＵＬ部３０６無し）、ＵＥ１０４は、ＵＬ  ＣＣＡプロセス３２４を行うことを抑制し得る。
【００８０】
一実施形態において、提案されたソリューションは、現在のＬＴＥフレーム構造と最大限の共通性を有し得る。これにより、下位互換性および複雑でない実装が可能になり得る。一実施形態において、ＣＣＡに起因するオーバーヘッドは、最小限に抑えることができる。
【００８１】
一実施形態において、提案されたチャネル予約ウィンドウ３００は、ＳＣｅｌｌ上でＬＢＴ（ひいては生成されたチャネル予約ウィンドウ３００）を使用する場合にＰＣｅｌｌとの良好なインターワーキングを促進する。一実施形態において、提案されたチャネル予約ウィンドウは、異なるバンドおよび／または領域内での要件に合致させる柔軟性を提供する一方で、同時にＬＴＥ−Ｕチャネル利用の最大化を提供し規制上の要件を遵守する。さらにもう１つの考えられる利点としては、ＬＴＥ−Ｕキャリア上での柔軟なＴＤＤ動作を得ることができる。提案されたＣＲＷを、発見信号伝送と互換性のあるものにすることが可能である。
【００８２】
以下では、図２〜９に関連して上述した実施形態を実施するために好適な装置の一実施例が提示される。図１０Ａに示されているように、一実施形態は、制御回路（ＣＴＲＬ）１００２、例えば少なくとも１つのプロセッサと、コンピュータ・プログラム・コード（ＰＲＯＧ）を含む少なくとも１つのメモリ１００４とを備えた装置１０００を提供しており、ここで少なくとも１つのメモリとコンピュータ・プログラム・コード（ＰＲＯＧ）は、少なくとも１つのプロセッサを用いて、装置に上述のプロセスのいずれか１つを実施させるように構成されている。メモリ１００４は、半導体ベースのメモリ・デバイス、フラッシュ・メモリ、磁気メモリ・デバイスおよびシステム、光学メモリ・デバイスおよびシステム、固定メモリおよび着脱式メモリなどの任意の好適なデータ記憶技術を用いて実装され得る。
【００８３】
一実施形態において、装置１０００は、基地局、送受信機基地局、ノードＢ、無線ネットワークコントローラ、進化型ノードＢ、ノード、ホストまたはサーバーなどであるかまたはそれらの中に含まれ得る。一実施形態において、装置１０００は、ｅＮＢ１００であるかまたはその中に含まれ得る。さらに１つの実施形態において、装置１０００は、プラグインユニット、ＵＳＢスティック、ＵＳＢドングル、カードまたは任意の他の種類のユニットなどの、接続性を提供するモジュール（基地局または関連するユニットに取付けられるもの）であるかまたは、このモジュールを備えている。ユニットは、基地局の内部に設置されているかまたは、コネクタを介して、さらには無線でも、基地局に取付けることができる。
【００８４】
装置はさらに、１つ以上の通信プロトコルにしたがって通信接続性を実施するためのハードウェアおよび／またはソフトウェアを含む通信インターフェース（ＴＲＸ）１００６を備え得る。ＴＲＸは、例えば無線アクセス・ネットワークにアクセスするための通信能力を装置に具備することができる。
【００８５】
装置は同様に、例えば少なくとも１つのキーパッド、マイクロホン、タッチ・ディスプレー、ディスプレー、スピーカーなどを含むユーザー・インターフェースをも備え得る。ユーザー・インターフェースは、ユーザーにより装置を制御するために使用することができる。
【００８６】
制御回路１００２は、実施形態のいずれかにしたがって、ＣＲＷを定義するためのＣＲＷ生成回路１０１０を備え得る。ＬＢＴ制御回路１０１２は、ＣＣＡプロセスを実行するためのものであり得る。ＣＡ制御回路１０１４は、実施形態のいずれかにしたがって、キャリア・アグリゲーションに関連する動作を行うためのものであり得る。
【００８７】
図１０Ｂに示されているように、一実施形態において、装置１０００の機能性の少なくとも一部は、１つの動作エンティティを形成する２つの物理的に別個のデバイスの間で共有され得る。したがって、装置１０００は、記載されているプロセスのうちの少なくとも一部を実行するための１つ以上の物理的に別個のデバイスを含む動作エンティティを意味するものとして考えられ得る。したがって、このような共有アーキテクチャを利用する図１０Ｂの装置１０００は、基地局内に位置する遠隔無線ヘッド（ＲＲＨ）１０５４に対して作動的に結合された（例えば無線または有線ネットワークを介して）ホスト・コンピュータまたはサーバー・コンピュータなどの遠隔制御ユニット（ＲＣＵ）１０５２を含み得る。一実施形態において、記載のプロセスの少なくとも一部が、ＲＣＵ１０５２によって行われ得る。一実施形態において、記載のプロセスの少なくともいくつかの実行は、ＲＲＨ１０５４およびＲＣＵ１０５２の間で分担され得る。
【００８８】
一実施形態において、ＲＣＵ１０５２は、それを通してＲＣＵ１０５２がＲＲＨ１０５４と通信する仮想ネットワークを生成することができる。一般に、仮想ネットワーキングには、ハードウェアおよびソフトウェア・ネットワーク・リソースおよびネットワーク機能性を単一のソフトウェアベースの管理エンティティ、仮想ネットワークの形に組合せるプロセスが関与し得る。ネットワーク仮想化には、多くの場合リソース仮想化と組合わされるプラットフォーム仮想化が関与し得る。ネットワーク仮想化は、多くのネットワーク、またはネットワークの一部をサーバー・コンピュータまたはホスト・コンピュータの形に（すなわちＲＣＵに）組合せる外部仮想ネットワーキングとして分類され得る。外部ネットワーク仮想化は、最適化されたネットワーク共有利用を標的とする。別のカテゴリは、単一システム上のソフトウェア・コンテナにネットワーク様の機能性を提供する内部仮想ネットワーキングである。仮想ネットワーキングは、端末デバイスの試験用にも同様に使用可能である。
【００８９】
本出願で使用されている「回路」なる用語は、（ａ）ハードウェア専用回路実装、例えばアナログおよび／またはデジタル回路のみにおける実装、および（ｂ）回路とソフトウェア（および／またはファームウェア）の組合せ、例えば（該当する場合）、（ｉ）プロセッサの組合せまたは（ｉｉ）さまざまな機能を装置に行わせるために協働するデジタル信号プロセッサ、ソフトウェア（コンピュータ・プログラム・コードまたはその一部分）およびメモリを含むプロセッサ／ソフトウェアの一部分、および（ｃ）ソフトウェアまたはファームウェアが物理的に存在しない場合でも、動作のためにソフトウェアまたはファームウェアを必要とするマイクロプロセッサまたはマイクロプロセッサの一部分などの回路、の全てを意味する。「回路」のこの定義は、本出願中のこの用語の全ての使用にあてはまる。さらなる例として、本出願中で使用されている「回路」なる用語は、単なるプロセッサ（または多数のプロセッサ）または１つのプロセッサの一部分およびその（またはそれらの）付随するソフトウェアおよび／またはファームウェアの実装も同様に網羅すると考えられる。「回路」なる用語は、同様に、例えば、特定の要素に適用可能である場合、ベースバンド集積回路または携帯電話用の応用プロセッサ集積回路またはサーバー、セルラー・ネットワークデバイスまたは別のネットワークデバイス内の類似の集積回路をもカバーすると考えられる。
【００９０】
一実施形態において、図２〜９に関連して説明されたプロセスの少なくとも一部は、記載のプロセスの少なくとも一部を実施するための対応する手段を含む装置によって、実施され得る。プロセスを実施するためのいくつかの例示的手段としては、以下のものの少なくとも１つが含まれ得る：検出器、プロセッサ（デュアル・コアおよびマルチ・コア・プロセッサを含む）、デジタル信号プロセッサ、コントローラ、受信機、送信機、エンコーダ、デコーダ、メモリ、ＲＡＭ、ＲＯＭ、ソフトウェア、ファームウェア、ディスプレー、ユーザー・インターフェース、ディスプレー回路、ユーザー・インターフェース回路、ユーザー・インターフェース・ソフトウェア、ディスプレー・ソフトウェア、回路、アンテナ、アンテナ回路、および回路。
【００９１】
本明細書中に記載の技術および方法は、さまざまな手段により実装され得る。例えば、これらの技術は、ハードウェア（１つ以上のデバイス）、ファームウェア（１つ以上のデバイス）、ソフトウェア（１つ以上のモジュール）またはそれらの組合せの形で実装され得る。ハードウェア実装については、実施形態の装置は、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書中に記載の機能を行うように設計された他の電子ユニットまたはそれらの組合せの中で実装され得る。ファームウェアまたはソフトウェアについては、実装は、本明細書中に記載されている機能を行う少なくとも１つのチップセット（例えばプロシージャ、機能など）のモジュールを通して、実施され得る。ソフトウェアコードは、メモリ・ユニット内に記憶され、プロセッサにより実行され得る。メモリ・ユニットは、プロセッサの内部で実装されるかまたはプロセッサの外部で実装され得る。後者の場合、それは、当該技術分野において知られているように、さまざまな手段を介してプロセッサに対し通信可能な形で結合され得る。さらに、本明細書中に記載のシステムの構成要素は、それに関して説明されたさまざまな態様の達成を容易にするために再配置されかつ／または追加の構成要素によって補完され得、これらの構成要素は、当業者であれば認識するように、与えられた図の中で指摘されている精確な構成に限定されるわけではない。
【００９２】
記載されたように、実施形態は、同様に、コンピュータ・プログラムまたはその一部分により定義されるコンピュータ・プロセスの形で実施され得る。図２〜９に関連して説明された方法の実施形態は、対応する命令を含むコンピュータ・プログラムの少なくとも一部分を実行することにより実施され得る。例えば、図２の方法は、対応する命令を含むコンピュータ・プログラムの少なくとも一部分を実行することによって実施される１つ以上のステップを表わし得る。コンピュータ・プログラムは、ソース・コード形態、オブジェクト・コード形態または何らかの中間形態であり得、プログラムを持つことのできる任意のエンティティまたはデバイスであり得る或る種のキャリア内に記憶され得る。例えば、コンピュータ・プログラムは、コンピュータまたはプロセッサにより読取り可能であるコンピュータ・プログラム配布媒体上に記憶され得る。コンピュータ・プログラム媒体は、例えば非限定的に、記録媒体、コンピュータメモリ、読取り専用メモリ、電気キャリア信号、電気通信信号およびソフトウェア配布パッケージなどであり得る。コンピュータ・プログラム媒体は、非一時的媒体であり得る。図示され説明されているように、実施形態を実施するためのソフトウェアのコーディングは、当業者の範囲内に充分入るものである。
【００９３】
本発明は、添付図面にしたがって一実施例を参照して、上に述べてきたが、本発明がそれに制限されず、添付クレームの範囲内で複数の形で修正可能であることは、明白である。したがって、全ての単語および表現は広義で解釈されるべきであり、それらは、実施形態を制限するのではなく、例示することを意図したものである。当業者にとっては、技術の進歩に伴って、本願発明の概念をさまざまな形で実施できるということは明白である。さらに、当業者にとっては、記載の実施形態をさまざまな形で他の実施形態と組合せることができるものの、それが求められるわけではない、ということは明白である。
【図１】
0006417033.tif 000002
【図２】
0006417033.tif 000003
【図３Ａ】
0006417033.tif 000004
【図３Ｂ】
0006417033.tif 000005
【図３Ｃ】
0006417033.tif 000006
【図４Ａ】
0006417033.tif 000007
【図４Ｂ】
0006417033.tif 000008
【図４Ｃ】
0006417033.tif 000009
【図５】
0006417033.tif 000010
【図６】
0006417033.tif 000011
【図７Ａ】
0006417033.tif 000012
【図７Ｂ】
0006417033.tif 000013
【図７Ｃ】
0006417033.tif 000014
【図８】
0006417033.tif 000015
【図９】
0006417033.tif 000016
【図１０Ａ】
0006417033.tif 000017
【図１０Ｂ】
0006417033.tif 000018